(57)【要約】【課題】  天井スラブ下面の空間に横架したＣ字チャンネル材に容易且つ確実に物体吊支持用の吊金具を固定できるようにする。【解決手段】  ナット２２に吊ボルト３ａを螺着した平面矩形の底板２１と、この底板２１の長辺の対角位置から正面し字状に起立した前後一対の鉤状突片２３とを備えて吊金具２を形成することによって、この吊金具２が、鉤状突片２３間に上向き開口２７と、各鉤状突片２３先端の下向き片２６下方を開放した正面の透孔２８を有するものとする。上方高所のＣ字チャンネル材１の下位に、吊ボルト３ａの下端を手持して吊金具２を配置し、持上げることによってＣ字チャンネル材１を受け入れ、該受入れ状態で１／２円回動することによって、Ｃ字チャンネル材１を透孔２８に受け入れ、吊ボルト３ａを回転進行して、その固定を行なうように用いる。【選択図】  図１
2010168834.tif 000002
【特許請求の範囲】
【請求項１】
天井スラブ下面の空間に横架したＣ字チャンネル材に照明器具等の物体を吊支持する吊金具であって、左右の短辺をＣ字チャンネル材の奥行幅に略等しく、前後の長辺を該奥行幅より長くして面内にナットを配置した矩形の底板と、該底板の前後の長辺の対角位置にそれぞれ起立することによって該対角位置の上向き突片、その上端から底板の前後の長辺にそれぞれ平行且つ相互に左右逆方向に向けて突出した上端の水平片及びその先端から下向きに突出した下向き片を有し且つＣ字チャンネル材をその下方から中間の上向き開口に受入れて１／２円回動することにより該Ｃ字チャンネル材を交差上下動自在に受入れる前後に貫通し且つ左右逆向きに下向き片下位を開放した受孔を形成した前後一対の逆向き鉤状突片と、上記底板のナットに上向きに螺装しその回転進行により上記受孔のＣ字チャンネル材下位突片を押圧する固定ボルトを備えてなることを特徴とするＣ字チャンネル材用吊金具。
【請求項２】
上記矩形の底板及び前後一対の逆向き鉤状突片を、厚肉鋼板のプレス加工によって一体に形成し且つ底板のナットをバーリング加工の雌ネジによって形成してなることを特徴とする請求項１に記載のＣ字チャンネル材用吊金具。
【請求項３】
請求項１又は２に記載の吊金具を用いて、該吊金具における上記一対の逆向き鉤状突片間の中間の上向き開口に天井スラブ下面の空間に横架したＣ字チャンネル材をその下方より受入れた後に１／２円回動して上記逆向き鉤状突片の下向き片をＣ字チャンネルの上位突片に引掛状に被嵌する吊金具設置工程と、底板に螺装した固定ボルトを回転進行してＣ字チャンネル材に吊金具を固定する吊金具固定工程を備えて、該吊金具を介して照明器具等の物体をＣ字チャンネル材に吊支持することを特徴とするＣ字チャンネル材用吊金具を用いた物体吊支持方法。
【発明の詳細な説明】
【技術分野】
【０００１】
本発明は、天井スラブ下面の空間に横架したＣ字チャンネル材に、例えば照明器具等の物体を吊支持するに用いるＣ字チャンネル材用吊金具及びこれを用いた物体吊支持方法に関する。
【背景技術】
【０００２】
例えば、蛍光灯照明器具を天井に埋込設置するには、天井スラブ下面の空間に横架したＣ字チャンネル材に吊金具を装着し、該吊金具に固定ボルトを螺装し、該固定ボルトに照明器具を吊支持し又は固定ボルトに設置したワイヤーに照明器具を吊支持するものとされる。
【０００３】
このとき、該吊金具は、図６に示すように、面内にナットを配置した矩形の底板と、該底板の前後の長辺からそれぞれ同幅にして、前後一方においてＣ字チャンネル材の高さ以上の高さに起立した起立片、その先端から底板と平行に突出した水平片及び該水平片の先端から下向きに突出した下向き片を有する高位起立片と、前後他方においてＣ字チャンネル材の１／３程度の高さに起立した起立片、その上端から高位起立片側に向けて突出して高位起立片との間に挿入溝を形成した横向き片を有する低位起立片と、上記底板のナットに上向きに螺装しその回転進行によって上記受孔のＣ字チャンネル材下位突片を押圧する固定ボルトを備えたものとされる。
【０００４】
該吊金具は、Ｃ字チャンネル材の下方斜め方向から、その上記低位起立片による挿入溝にＣ字チャンネル材の下位突片を受入れ、該受入れ状態で該吊金具をＣ字チャンネル材側に回動起立し、Ｃ字チャンネル材に被せた後に、該吊金具を落とし込むようにして、高位起立片の下向き片をＣ字チャンネル材の上位突片に引掛状に被嵌し、その後に底板に螺装したボルトを回転進行してＣ字チャンネル材に吊金具を固定するように用いるものとされる。
【先行技術文献】
【非特許文献】
【０００５】
【非特許文献１】株式会社ピーシーネットワークプラザ発行  空調衛生設備・電気工事業者向けの施工要領書ＣＡＤデータ集「編集バンバン施工要領書」天井埋込み型蛍光灯照明器具の天井面取付け（３）
【発明の概要】
【発明が解決しようとする課題】
【０００６】
しかし乍ら、この吊金具を用いた場合、そのＣ字チャンネル材に対する固定は、その下位突出片を、吊金具の挿入溝に受入れることが必要であるところ、該挿入溝は、一般に１ｃｍ程度と狭いため、例えば作業者が直接に吊金具を手持して作業を行なうときには然程の問題もないが、天井スラブ下面の空間に配置されたＣ字チャンネル材は、それ自体上方高所に位置するために、吊金具は、これに螺装された固定ボルトの下端を手持するか、ワイヤー付きの固定ボルトの場合は、添え棒に支持した添え棒の下端を手持して、その挿入溝にＣ字チャンネル材の下位突片を受入れた後に、チャンネル材側に回動起立するという煩雑な作業を伴うことが多い。また、天井スラブ下面の空間には、空調ダクトやケーブル配管といった障害物が存在していることも多いし、蛍光灯照明器具の設置を天井埋込とし又は天井直付けとする場合には、吊金具の固定作業は、天井に刳り抜き透設した照明器具を埋め込む埋込孔や、支持金具装着用の透孔から、吊金具と固定ボルトや添え棒を挿入して上記Ｃ字チャンネル材の下位突片受入れと回動起立を行なうことが必要となるところ、埋込孔や透孔は、この作業のために必要な開口を得られず、固定ボルトや添え棒の挿入や傾斜の角度が制約される結果、吊金具のＣ字チャンネル材への位置合せや回動起立を阻害する結果となり易く、従って、上記の吊金具を用いて物体をＣ字チャンネル材に吊支持するについては、その作業が煩雑化し易いという問題点が残されている。
【０００７】
本発明は係る事情に鑑みてなされたもので、その解決課題とするところは、天井スラブ下面の空間に空調ダクトやケーブルといった障害物が存在したり、埋込孔や透孔のように固定ボルトや添え棒の角度制約があったりする場合を含めて、Ｃ字チャンネル材に対する固定を可及的容易になし得るようにしたＣ字チャンネル材用吊金具を提供するにあり、また、該吊金具を用いた物体吊支持方法を提供するにある。
【課題を解決するための手段】
【０００８】
上記課題に沿って本発明は、Ｃ字チャンネル材の下方からこれを受入れて、１／２円水平方向に回動する如くに、吊金具の上向きへの上昇と回動の動作により吊金具をＣ字チャンネル材に装着して固定ボルトによって固定するようにして、該Ｃ字チャンネル材に対する吊金具の固定を可及的簡易且つ確実になし得るようにしたものであって、請求項１に記載の発明を、天井スラブ下面の空間に横架したＣ字チャンネル材に照明器具等の物体を吊支持する吊金具であって、左右の短辺をＣ字チャンネル材の奥行幅に略等しく、前後の長辺を該奥行幅より長くして面内にナットを配置した矩形の底板と、該底板の前後の長辺の対角位置にそれぞれ起立することによって該対角位置の上向き突片、その上端から底板の前後の長辺にそれぞれ平行且つ相互に左右逆方向に向けて突出した上端の水平片及びその先端から下向きに突出した下向き片を有し且つＣ字チャンネル材をその下方から中間の上向き開口に受入れて１／２円回動することにより該Ｃ字チャンネル材を交差上下動自在に受入れる前後に貫通し且つ左右逆向きに下向き片下位を開放した受孔を形成した前後一対の逆向き鉤状突片と、上記底板のナットに上向きに螺装しその回転進行により上記受孔のＣ字チャンネル材下位突片を押圧する固定ボルトを備えてなることを特徴とするＣ字チャンネル材用吊金具としたものである。
【０００９】
請求項２に記載の発明は、上記に加えて、該吊金具をプレス加工とバーリング加工によって可及的簡易且つ低コストに形成し得るものとするように、これを、上記矩形の底板及び前後一対の逆向き鉤状突片を、厚肉鋼板のプレス加工によって一体に形成し且つ底板のナットをバーリング加工の雌ネジによって形成してなることを特徴とする請求項１に記載のＣ字チャンネル材用吊金具としたものである。
【００１０】
請求項３に記載の発明は、上記吊金具を用いて、可及的簡易且つ確実に照明器具等の物体をＣ字チャンネル材に吊支持する物体吊支持方法を提供するように、これを、請求項１又は２に記載の吊金具を用いて、該吊金具における上記一対の逆向き鉤状突片間の中間の上向き開口に天井スラブ下面の空間に横架したＣ字チャンネル材をその下方より受入れた後に１／２円回動して上記逆向き鉤状突片の下向き片をＣ字チャンネルの上位突片に引掛状に被嵌する吊金具設置工程と、底板に螺装した固定ボルトを回転進行してＣ字チャンネル材に吊金具を固定する吊金具固定工程を備えて、該吊金具を介して照明器具等の物体をＣ字チャンネル材に吊支持することを特徴とするＣ字チャンネル材用吊金具を用いた物体吊支持方法としたものである。
【００１１】
本発明はこれらをそれぞれ発明の要旨として上記課題解決の手段としたものである。
【発明の効果】
【００１２】
本発明は以上のとおりに構成したから、請求項１に記載の発明は、Ｃ字チャンネル材の下方からこれを受入れて、１／２円水平方向に回動する如くに、吊金具の上向きへの上昇と回動の動作により吊金具をＣ字チャンネル材に装着して固定ボルトによって固定するようにして、該Ｃ字チャンネル材に対する吊金具の固定を可及的簡易且つ確実になし得るようにすることによって、天井スラブ下面の空間に空調ダクトやケーブルといった障害物が存在したり、埋込孔や透孔のように固定ボルトや添え棒の角度制約があったりする場合を含めて、Ｃ字チャンネル材に対する固定を可及的容易になし得るようにしたＣ字チャンネル材用吊金具を提供することができる。
【００１３】
請求項２に記載の発明は、上記に加えて、該吊金具をプレス加工とバーリング加工によって可及的簡易且つ低コストに形成し得るものとすることができる。
【００１４】
請求項３に記載の発明は、上記吊金具を用いて、可及的簡易且つ確実に照明器具等の物体をＣ字チャンネル材に吊支持する物体吊支持方法を提供することができる。
【図面の簡単な説明】
【００１５】
【図１】（ａ）は装着状態、（ｂ）は固定状態の、それぞれ吊金具とＣ字チャンネル材との関係を示す斜視図である。
【図２】吊金具の斜視図である。
【図３】固定ボルトを吊ボルトとしてＣ字チャンネル材に固定した吊金具の正面図である。
【図４】図３の側面図である。
【図５】固定ボルトをワイヤー付きとしてＣ字チャンネル材に固定した吊ボルトの側面図である。
【図６】従来の吊金具を示す斜視図である。
【発明を実施するための形態】
【００１６】
以下図面の例に従って本発明を更に具体的に説明すれば、２は、天井スラブ下面の空間に横架したＣ字チャンネル材１に照明器具等の物体を吊支持する吊金具であり、該吊金具２は、面内にナット２２を配置した底板２１と、該底板２１の前後の長辺の対角位置にそれぞれ起立した前後一対の逆向き鉤状突片２３と、上記底板２１のナット２２に上向きに螺装しその回転進行によりＣ字チャンネル材１下位突片１１を押圧する固定ボルト３を備えたものとしてある。
【００１７】
本例にあって該吊金具２は、その上記矩形の底板２１及び前後一対の逆向き鉤状突片２３を、厚肉鋼板のプレス加工によって一体に形成し且つ底板２１のナット２２をバーリング加工の雌ネジによって形成したものとしてあり、本例の吊金具２は、厚さ１乃至３ｍｍ程度の厚肉、例えば１．６ｍｍ厚さの厚肉鋼板を用いて、これに上記プレス加工とバーリング加工を施すことによって、例えば、Ｃ字チャンネル材１へ装着した状態で、該Ｃ字チャンネル材１に横断交差する正面側において、前後一対の逆向き鉤状突片２３が前後に重合し、面内に矩形の透孔２８を貫通配置した矩形の形状をなし、またＣ字チャンネル材１の長手方向交差の側面側において、上記前後一対の鉤状突片２３間に上向き開口２７を形成したＵ字状の形状をなすものとしてあり、このとき上記鉤状突片２３外側の周縁を内側にやや湾曲するように折り曲げることによって、作業者が該吊金具を持ったときに鉤状突片のエッジによって怪我をすることのないように周縁に面取り状の仕上げを施したものとしてある。
【００１８】
底板２１は、Ｃ字チャンネル材の奥行幅を基準にして、左右の短辺を該Ｃ字チャンネル材の奥行幅に略等しいものとし、前後の長辺を該奥行幅より長くした矩形のものとしてあり、本例にあって該左右の短辺は、例えば、これを１．５ｃｍ、長辺を３ｃｍ程度のものとして、該底板２１を平面矩形をなすものとしてあり、これによって、例えば蛍光灯照明器具等の物体を吊支持するに一般に用いる照明器具吊り用Ｃ字チャンネル材１に合わせて、上記短辺を、該チャンネル材１における上下位において等しい、例えば１ｃｍ強の突出幅より１〜２ｍｍ程度の余裕寸法を有して、Ｃ字チャンネル材１の下位突片１１を受け入れ可能なものとする一方、長辺を、該１ｃｍ強の上下位突片１１を有するＣ字チャンネル材を受け入れる上記矩形の透孔２８とこれを画する鉤状突片２３を起立配置するに適当な、例えばＣ字チャンネル材の２．５〜３倍程度の長さのものとしてある。
【００１９】
前後一対の鉤状突片２３は、上記対角位置の上向き突片２４、その上端から底板２１の前後の長辺にそれぞれ平行且つ相互に左右逆方向に向けて突出した上端の水平片２５及びその先端から下向きに突出した下向き片２６を有し且つＣ字チャンネル材１をその下方から中間の上向き開口２７に受入れて１／２円回動することにより該Ｃ字チャンネル材１を上下動自在に受入れる前後に貫通し且つ左右逆向きに下向き片２６下方を開放した上記受孔２８を形成したものとしてある。
【００２０】
本例にあって該前後一対の鉤状突片２３は、上記底板２１の前後の長辺の対角位置、即ち前後で幅方向に逆側の端部位置から、対角線上で相互に対称形状をなすように、それぞれ、例えば１ｃｍ程度の幅に、正面において上向きの逆し字状をなすように配置した、例えば高さを６ｃｍ程度とした上向き突片２４、その上端側面から２ｃｍ程度の長さ（上端全長さは３ｃｍ程度）とした水平片２５、その先端下面から０．５ｃｍ程度の長さ（先端全長さは１．５ｃｍ程度）とした下向き片２６によって、これを形成してあり、本例にあって該鉤状突片２３は、上記底板２１の長辺に、例えば０．５ｃｍ程度の折り返し片を配置し、該折り返し片を介して底板２１から起立するようにしてあり、これによって鉤状突片２３を底板２１の長辺から直接に起立するのに対して該鉤状突片２３の下端を補強して、物体を支持する吊金具２としてその保形強度を有効に確保したものとしてある。
【００２１】
鉤状突片２３は、上記上向き片２４、水平片２５、下向き片２６を逆し字状をなすように配置したことによって、該鉤状突片２３間に中間の上記上向き開口２７を形成するとともに該上向き開口２７は、それぞれ逆向き配置の上記下向き片２６の側で底板２１、本例にあっては上記折り返し片上端に至るように各一端を横向きに開放することによって上記前後に貫通し且つ左右逆向きの受孔２８を形成するようにしてあり、このとき該開放端の高さを、Ｃ字チャンネル材１の高さ、即ち、照明器具吊り用の３．７ｃｍよりやや高く、例えば４ｃｍ程度として、Ｃ字チャンネル材１の受入れを、余裕をもって容易且つ確実になし得る高さとしてある。
【００２２】
このように上向き開口２７と、その一端を開放した透孔２８を配置することによって、吊金具２は、Ｃ字チャンネル材１の下方から上向きに上昇するように持上げることによって、前後一対の鉤状突片２３間の該上向き開口２７に、該Ｃ字チャンネル材１をやや遊嵌状に挟持する如くに受入れる一方、該受入れの状態で、鉤状突片２３の一端の開放端からＣ字チャンネル材１を上記透孔２８に受入れるように水平方向に１／２円回動し、例えば、該吊金具２を下向きに引き下げることによって、該吊金具２のＣ字チャンネル材１に対する相対位置を降下して、その逆向き鉤状突片２３の下向き片２６を、Ｃ字チャンネル材１の上位突片１１に引掛状とし、該吊金具２の上向き片２４上端、水平片２５、該下向き片２６によって形成される上端の凹陥溝内に受入れ被嵌した状態とすることによって、該吊金具２を、定位置架設のＣ字チャンネル材１に対して、その長手方向任意位置に対して横断交差状態に、その装着を行なうようにしてある。
【００２３】
固定ボルト３は、上記底板２１のナット２２に上向きに螺装しその回転進行により上記受孔２８のＣ字チャンネル材１の下位突片１１を押圧するものとしてあり、これによって、上記凹陥溝内にＣ字チャンネル材１の上位突片１１を受入れて、これに対して相対位置を降下して、これに横断交差状に装着した上記吊金具２を更に引下げ降下状として、そのＣ字チャンネル材１に対する固定を行うものとしてある。このとき、固定ボルト３は、これを、例えば、図３に示す如くに吊ボルト３ａとしたとき、そのネジ下端を、またワイヤー付きボルト３ｂとしたとき、そのワイヤー下端を、直接又は固定金具を介して間接的に照明器具等の物体に連結して、該物体を吊支持するものとしてある。
【００２４】
固定ボルト３は、上記吊りボルト３ａとし、またワイヤー付きボルト３ｂとすることができるが、いずれを用いるかは、照明器具等の物体吊支持との関係で適宜に選択使用すればよいが、本例にあって、上記底板２１のナット２２を雌ネジ、例えばネジ径３／８インチの雌ネジとしたから、該固定ボルト３は、いわゆるＭ１０の径のものを用いるものとしてある。
【００２５】
以上の底板２１、前後一対の逆向き鉤状突片２３、固定ボルト３を備えた吊金具２は、上記一対の逆向き鉤状突片２３間の中間の上向き開口２７に、天井スラブ下面の空間に横架したＣ字チャンネル材１をその下方より受入れた後に１／２円回動して上記逆向き鉤状突片２３の下向き片２６をＣ字チャンネル１の上位突片１１に引掛状に被嵌する吊金具設置工程と、底板２１に螺装した固定ボルト３を回転進行してＣ字チャンネル材１に吊金具２を固定する吊金具固定工程を備えて、該吊金具２を介して照明器具等の物体をＣ字チャンネル材１に吊支持するように用いるものとしてある。
【００２６】
即ち、Ｃ字チャンネル材１は、天井スラブ下面の空間に、例えば、天井スラブからの吊ボルトによって、その長手方向複数個所を支持して水平に架設されているため、上記吊金具２に螺装した吊ボルト３ａ乃至吊金具２のワイヤーに添えた添え棒の下端を手持し、先端の吊金具２をＣ字チャンネル材１の下面に宛がうようにして、上向きに上昇移動することによって、該吊金具２の上記逆向き鉤状突片２３間の上向き開口２７にＣ字チャンネル材１を受入れることができるから、該受入れ後に吊ボルト３ａ乃至添え棒を回動して、１／２円回動したところで、Ｃ字チャンネル材１を吊金具２の受孔２８に受入れ、上記Ｃ字チャンネル材１長手方向に横断交差して装着し、吊ボルト３ａ乃至添え棒をやや下向きに引寄せるようにして、上記凹陥溝にＣ字チャンネル材１の上位突片１１を受入れ被嵌し、吊ボルト３ａ乃至添え棒を軸回り方向に回転すれば、固定ボルト３が底板２１からＣ字チャンネル材１側に回転進行して、該Ｃ字チャンネル材１の下位突片１１を持ち上げ状に押圧して、そのＣ字チャンネル材１に対する固定を完了する。その後に該吊ボルト３ａ乃至ワイヤーを照明器具等の物体に固定して、該物体を吊支持するようにすることによって、上記吊金具２を用いた物体吊支持を行なうことが可能となる。
【００２７】
本例の吊金具２は、以上のように、Ｃ字チャンネル材１の下方から、上向きへの上昇と回動の動作を行なうことによりＣ字チャンネル材１に簡単に装着することができるとともに、一般に、Ｃ字チャンネル材１の下方に、空調ダクトやケーブル配管といった障害物が上下に重なるように配置されることは少ないため、上記Ｃ字チャンネル材１の下方からの上向きの上昇と回動の動作が阻害される可能性は少なく、従って、該吊金具２を用いることによって、照明器具等の物体の吊支持の作業、これに先立つ吊金具の固定の作業を効率よく簡易且つ確実に行なうことが可能となる。
【００２８】
図中３１は、緩み止め用に吊金具の底板下面に螺着した、六角ナットによる緩み止めナットである。
【００２９】
図示した例は以上のとおりとしたが、底板のナットを、底板に透設した透孔位置に合せて、例えば六角ナットを溶着してその形成を行なうこと、前後一対の逆向き鉤状突片における上記凹陥溝を先細りの形状とすることによって、固定ボルトの回転進行によって、Ｃ字チャンネル材に対する吊金具の相対位置を降下するようにして、該固定ボルトによる固定を行うようにすること等を含めて、本発明の実施に当って、Ｃ字チャンネル材、照明器具等の物体、吊金具、矩形の底板、前後一対の逆向き鉤状突片、固定ボルトの各具体的材質、形状、構造、これらの関係、これらに対する、例えば補強リブ等の追加、吊金具を用いた物体の吊支持の具体的方法等は、上記発明の要旨に反しない限り様々な形態のものとすることができる。
【符号の説明】
【００３０】
１  Ｃ字チャンネル材
１１  上下位突片
２  吊金具
２１  底板
２２  ナット
２３  鉤状突片
２４  上向き突片
２５  水平片
２６  下向き片
２７  上向き開口
２８  受孔
３  固定ボルト
３ａ  吊ボルト
３ｂ  ワイヤー付きボルト
３１  緩み止めナット
【図１】
2010168834.tif 000003
【図２】
2010168834.tif 000004
【図３】
2010168834.tif 000005
【図４】
2010168834.tif 000006
【図５】
2010168834.tif 000007
【図６】
2010168834.tif 000008